(57)【要約】【課題】蓋板を多種の方式で組み合わせ、異なる組み合わせを利用し、異なる位置に放置し、異なる人が使用できるボックスティッシュ固定器を提供する。【解決手段】蓋板上の容室内に強力磁石を設置し、車頂に直接吸固することができる。蓋板上に、一つ以上の吸盤を有し、車内のガラスに貼ることもできる。蓋板上は挟体を設置でき、挟体前端により挟口を形成し、車内の柱棒に固定できる。蓋板が承載箱体に蓋置される時、蓋板の両側を承載箱体両側の溝に穿入して係固する。蓋板上は少なくとも一組のU字型板を設置し、弾性ばねの引っ張りにより、ボックスティッシュ、或いは、承載箱体を蓋板上に固定し、蓋板の多種の固定方式により、承載箱体、或いは、ボックスティッシュを車内の異なる位置に掛けることができ、使用者が取り出しに便利である。【選択図】図１
0003122688.tif 000002
【実用新案登録請求の範囲】
【請求項１】
ボックスティッシュ固定器であって、その構造は、
中央に上向けに突出した容室を有し、強力磁石を設置し、車頂内縁に直接吸付でき、前記容室は周辺頂縁より僅かに高い蓋板と、
前記蓋板を異なる方式で車内に固定する固定装置と、
前記蓋板とボックスティッシュ、或いは、承載箱体を連結する連結装置と、
からなり、前記ボックスティッシュ固定器は、前記連結装置により、前記ボックスティッシュ、或いは、承載箱体を前記蓋板上に連結し、更に、前記固定装置により前記蓋板を車内に固定し、使用者が便利にティッシュを取り出すことができることを特徴とするボックスティッシュ固定器。
【請求項２】
前記連結装置は、前記蓋板上に少なくとも一組のU字型板を設置し、弾性ばねの引っ張りにより、前記蓋板のU字型板を引っ張り、前記ボックスティッシュ、或いは、承載箱体を前記蓋板上に固定し、前記蓋板上の強力磁石、或いは、固定装置により、共に車内に吸付し、使用者が便利にティッシュを取り出すことができることを特徴とする請求項１に記載のボックスティッシュ固定器。
【請求項３】
前記連結装置は、更に、前記蓋板両側を前記承載箱体両側の溝孔に穿入して、前記蓋板上の磁石、或いは、前記固定装置により車頂に吸付固定し、使用者が便利にティッシュを取り出せることを特徴とする請求項１に記載のボックスティッシュ固定器。
【請求項４】
前記固定装置は、前記蓋板側縁、或いは、容室に一つ以上の吸盤を連接し、前記蓋板を車内ガラスに貼付し、更に、前記連結装置により、前記承載箱体、或いは、前記ボックスティッシュを連結し、ティッシュは異なる角度で掛けて使用できることを特徴とする請求項１に記載のボックスティッシュ固定器。
【請求項５】
前記固定装置は、更に、前記蓋板側縁、或いは、容室に一つ以上の挟体を設置し、前記蓋板を車内の棒に固定でき、更に、前記連結装置により、前記承載箱体、或いは、ボックスティッシュを連結し、使用者が容易にティッシュを取り出すことができることを特徴とする請求項１に記載のボックスティッシュ固定器。
【請求項６】
前記蓋板は、四角形、円形、楕円形、多辺幾何図形、不規則形状、或いは、動植物デザインであることを特徴とする請求項１に記載のボックスティッシュ固定器。
【請求項７】
前記連結装置は、少なくとも一組のマジックテープ（登録商標）を有し、前記マジックテープ（登録商標）がボックスティッシュを巡過して、前記ボックスティッシュを前記蓋板に固定できることを特徴とする請求項１に記載のボックスティッシュ固定器。
【請求項８】
前記固定装置は、オープンルーフの隔板上に鉄片を設置し、前記蓋板上の強力磁石により、隔板下縁位置に吸付固定することを特徴とする請求項１に記載のボックスティッシュ固定器。
【考案の詳細な説明】
【技術分野】
【０００１】
本考案は、ボックスティッシュ固定器に関するものであって、特に、蓋板を多種の方式で組み合わせ、承載箱体、或いは、ボックスティッシュを車内の異なる位置に掛けることができ、使用者が取り出しに便利なボックスティッシュ固定器に関するものである。
【背景技術】
【０００２】
公知のボックスティッシュは、任意に車内のどこかに放置され、運転者は必要時に探す時、視線が逸れて、交通事故を招く恐れがある。よって、ボックスティッシュを使用する適当な位置に固定できるような固定器が必要である。
【考案の開示】
【考案が解決しようとする課題】
【０００３】
本考案は、ボックスティッシュ固定器を提供し、主に、蓋板を多種の方式で組み合わせ、承載箱体、或いは、ボックスティッシュを車内の異なる位置に掛けることができ、取り出しやすいようにすることを目的とする。
【課題を解決するための手段】
【０００４】
本考案のボックスティッシュ固定器は、主に、蓋板を多種の方式で組み合わせ、異なる組み合わせを利用し、異なる位置に放置し、異なる人が使用できる。本考案は、蓋板上の容室内に強力磁石を設置し、車頂に直接吸固することができる。蓋板上に、一つ以上の吸盤を有し、車内のガラスに貼ることもできる。蓋板上は挟体を設置でき、挟体前端により挟口を形成し、車内の柱棒に固定できる。蓋板が承載箱体に蓋置される時、蓋板の両側を承載箱体両側の溝に穿入して係固する。蓋板上は少なくとも一組のU字型板を設置し、弾性ばねの引っ張りにより、ボックスティッシュ、或いは、承載箱体を蓋板上に固定し、蓋板の多種の固定方式により、承載箱体、或いは、ボックスティッシュを車内の異なる位置に掛けることができ、使用者が取り出しに便利である。
【考案の効果】
【０００５】
ボックスティッシュを車内に固定できるので、運転中にティッシュを探すことが不要である。
【考案を実施するための最良の形態】
【０００６】
図１、図２は、本考案のボックスティッシュ固定器で、蓋板１中央に上に突出した容室１０を有する。容室頂縁は周辺の頂縁より僅かに高い。容室１０内に強力磁石１１を設置し、磁石１１により吸付できるので、車内の頂縁箇所に直接設置できる。蓋板１は四角形、円形、楕円形、多辺幾何図形、L字型、不規則形状、動植物のデザインでもよい。
【０００７】
蓋板１両側にそれぞれ、U字型板２１、２２を有し、U字型板２１、２２両辺に、突出したフック２１００、２１０１、２２００、２２０１を有し、溝道２１１、２１２、２２１、２２２を経由し、弾性ばね２０１、２０２を連接し、ばね２０１、２０２の引っ張りにより、フック２１００、２２００、２１０１、２２０１を内側に引っ張る。両片のU字型板２１、２２も引かれ、ボックスティッシュ２は蓋板上に固定され、使用者は取り出し口２４２からティッシュを取り出すことができる。図３で示されるように、蓋板１両側に、柄１２、１３を設置し、蓋板１両側両端のスロット１２０、１３０に嵌入し、蓋板１が承載箱体１４に蓋置される時、柄１２、１３は承載箱体１４両側の溝孔１４０、１４１を穿入して固定され、蓋板１上の強力磁石１１により、承載箱体１４を車内頂縁に掛ける。承載箱体１４底面は開口１４２を有し、ティッシュが取り出しやすい。図４で示されるように、蓋板１上にマジックテープ（登録商標）ループ１００１、１００２を有し、まず、ボックスティッシュ２の取り出し口を下に向け、取り出し口の相対する背面を蓋板１の底面に貼設し、マジックテープ（登録商標）フック１０１、１０２はボックスティッシュ２下方を巡過して、マジックテープ（登録商標）フック１０１、１０２の端頭は、マジックテープ（登録商標）ループ１００１、１００２の箇所に粘貼する。ボックスティッシュ２は、蓋板１の下方に固定され、ボックスティッシュ２は車内位置に掛けることができる。図５で示されるように、使用車輌がオープンルーフがある場合、窓の隔板１１０上に鉄片１１１を設置し、蓋板１上の磁石１１により車頂の隔板１１０上に吸固され、承載箱体１４を隔板位置に掛ける。図６〜図８は、本考案によるもう一種の懸掛固定方式を示す図で、蓋板１側辺の洞孔３０、３１は吸盤３００、３０１を連接し、車内のガラス３２に吸付する。直接式吸盤４００、４０１も、車内ガラス３２に吸付することができ、承載箱体１４を固定懸固でき、同様に、便利に使用できる。図９、図１０は本考案によるもう一種の懸掛固定方式を示す図で、蓋板１側辺の洞孔３０、３１は挟体５００、５０１を挿設し、挟体５００、５０１前端は挟口を形成し、柱棒に固定でき、承載箱体１４を掛けることができる。
【０００８】
本考案の長所は、１．ボックスティッシュを車内に固定できる。２．蓋板両側を承載箱体両側の溝孔に穿入して、蓋板上の磁石により車頂に吸付固定し、承載箱体底面は開口を有し、ティッシュが取り出せるようになっている。３．蓋体上にU字型板を設置し、弾性ばねを連接し、両片U字型板を引き、ボックスティッシュを蓋板上に固定することができる。４．蓋板上にマジックテープ（登録商標）を設け、ボックスティッシュを巡過して固定することができる。５．蓋板上に吸盤を設置し、ガラス上に設置することができる。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案のU字型板分解立体図である。
【図２】本考案の車内装着実施図である。
【図３】本考案の柄分解立体図である。
【図４】本考案のマジックテープ（登録商標）組み立て立体図である。
【図５】本考案のオープンルーフに装着した実施図である。
【図６】本考案の蓋板上に吸盤を連接した立体図である。
【図７】本考案の蓋板上に吸盤を挿置した立体図である。
【図８】本考案の蓋板上の吸盤の車内実施図である。
【図９】本考案の蓋板上に挟体を挿置した立体図である。
【図１０】本考案の蓋板上の挟体の車内実施図である。
【符号の説明】
【００１１】
１            蓋板
１０          容室
１１          磁石
１２、１３    柄
１２０、１３０  スロット
１４          承載箱体
１４０、１４１  溝孔
１４２        開口
１１０        隔板
１１１        鉄片
２            ボックスティッシュ
２１、２２    U字型板
２１００、２１０１、２２００、２２０１    フック
２１１、２１２、２２１、２２２    溝道
２０１、２０２     弾性ばね
３０、３１    洞孔
３００、３０１    吸盤
３２          隔壁
４０、４１    挿孔
４００、４０１    吸盤
５００、５０１     挟体
５２          棒
【図１】
0003122688.tif 000003
【図２】
0003122688.tif 000004
【図３】
0003122688.tif 000005
【図４】
0003122688.tif 000006
【図５】
0003122688.tif 000007
【図６】
0003122688.tif 000008
【図７】
0003122688.tif 000009
【図８】
0003122688.tif 000010
【図９】
0003122688.tif 000011
【図１０】
0003122688.tif 000012